(57)【要約】【課題】波長変換を意図しない波長の入力光の波長変換を抑制することができる波長変換器を提供する。【解決手段】変換対象である入力光は、励起光源１１から出力され光分岐部１２により分岐された一方の励起光とともに、光合波部２１により合波されて光ファイバ３１の一端に入力される。光ファイバ３１の他端から出力された光は、励起光源１１から出力され光分岐部１２により分岐された他方の励起光とともに、光合波部２２により合波されて光ファイバ３２の一端に入力される。入力光および励起光が光ファイバ３１，３２を導波する間に、非線形光学現象が発現して、入力光の波長と異なる波長の変換光が光ファイバ３１，３２において発生する。光ファイバ３１，３２それぞれの零分散波長は互いに異なる。【選択図】図３
2008152133.tif 000002
【特許請求の範囲】
【請求項１】
入力される入力光の波長と異なる波長の変換光を発生する波長変換器であって、
励起光を出力する励起光源と、
前記入力光と前記励起光とを合波して出力する光合波部と、
互いに異なる零分散波長を有し、前記光合波部により合波されて出力された前記入力光および前記励起光を入力して導波し、その導波の間に生じる非線形光学現象によって前記変換光を発生する縦続接続された複数の光ファイバと、
を備え、
前記複数の光ファイバの全体において、波長変換効率の最大値に対してサイドバンドにおける波長変換効率が−２０ｄＢ未満である、
ことを特徴とする波長変換器。
【請求項２】
前記複数の光ファイバのうちの何れかの光ファイバが高非線形性光ファイバであることを特徴とする請求項１記載の波長変換器。
【請求項３】
前記複数の光ファイバの全体において、波長変換効率の最大値に対して−１０ｄＢ以上の波長変換効率となる前記入力光と前記励起光との波長差が１５ｎｍ以上である、ことを特徴とする請求項１記載の波長変換器。
【請求項４】
前記励起光の波長λｐが１５７０ｎｍ未満であり、
前記複数の光ファイバの全体において、波長変換効率の最大値に対して−１０ｄＢ以上の波長変換効率となる前記入力光と前記励起光との波長差が（１５７０ｎｍ−λｐ）未満である、
ことを特徴とする請求項１記載の波長変換器。
【請求項５】
前記複数の光ファイバそれぞれがコイル状に巻かれた状態であることを特徴とする請求項１記載の波長変換器。
【請求項６】
前記複数の光ファイバのうちの何れかの光ファイバの零分散波長を調整する零分散波長調整手段を更に備えることを特徴とする請求項１記載の波長変換器。
【請求項７】
前記零分散波長調整手段が前記光ファイバの温度を調整することにより前記光ファイバの零分散波長を調整することを特徴とする請求項６記載の波長変換器。
【請求項８】
前記零分散波長調整手段による前記光ファイバの温度調整範囲が４０℃以上であることを特徴とする請求項７記載の波長変換器。
【請求項９】
前記零分散波長調整手段が前記光ファイバの応力を調整することにより前記光ファイバの零分散波長を調整することを特徴とする請求項６記載の波長変換器。
【請求項１０】
前記零分散波長調整手段が前記光ファイバの張力を調整することにより前記光ファイバの零分散波長を調整することを特徴とする請求項６記載の波長変換器。
【請求項１１】
前記光ファイバの状態を検出する検出部と、
前記検出部による検出の結果に基づいて、前記零分散波長調整手段による前記光ファイバの零分散波長調整を制御する制御部と、
を更に備えることを特徴とする請求項６記載の波長変換器。
【発明の詳細な説明】
【技術分野】
【０００１】
本発明は、入力される入力光の波長と異なる波長の変換光を発生する波長変換器に関するものである。
【背景技術】
【０００２】
波長変換器は、光ファイバ等において発現する非線形光学現象（四光波混合や光パラメトリック発振）を利用して、入力光の波長と異なる波長の変換光を発生するものである。この波長変換器では、一般に、光ファイバに入力される励起光の波長を含む波長帯域であって波長変換可能な入力光の帯域が議論されている。この波長帯域では、入力光波長と励起光波長との差Δλが大きくなると、波長変換効率は次第に小さくなっていく。この波長帯域を以下では「主帯域」という。また、この主帯域において、波長変換効率の最大値に対して−１０ｄＢ以上となる入力光の波長帯域の幅を、以下では「主帯域幅」という。その一方で、主帯域外の波長に対しては、変換対象外として殆ど考察されていなかった。
【０００３】
しかし、入力光波長と励起光波長との差Δλに対して四光波混合や光パラメトリック発振は位相整合条件が周期的に成り立つことから、波長変換効率は、原理的に信号光波長に対して周期的な特性を示す。すなわち、主帯域より更に波長差Δλが大きくなっていくと、波長変換効率は増減を繰り返す。以下では、波長変換効率が極小となる２波長の間の帯域を「サイドバンド」といい、そのうち最も波長差Δλが小さい波長帯域のものを「１次サイドバンド」という。各サイドバンド内では、それに含まれる或る波長差Δλにおいて波長変換効率が極大となり、その波長差Δλから離れるに従い波長変換効率は小さくなる。
【特許文献１】特開平７−８４２８９号公報
【非特許文献１】K. Inoue, OpticsLett., Vol.19, No.16 (1994) 1189
【発明の開示】
【発明が解決しようとする課題】
【０００４】
従来の波長変換器において入力光を波長変換する場合、主帯域における波長変換が意図されていたが、サイドバンドの存在により、波長変換を意図していない波長の入力光まで波長変換されてしまう。その結果、波長変換後の光と、もともとその波長域にある別の光とが互いに干渉しあって、コヒーレントクロストークによる原信号の劣化を引き起こす等の弊害が生じる恐れがある。
【０００５】
本発明は、上記問題点を解消する為になされたものであり、波長変換を意図しない波長の入力光の波長変換を抑制することができる波長変換器を提供することを目的とする。
【課題を解決するための手段】
【０００６】
本発明に係る波長変換器は、入力される入力光の波長と異なる波長の変換光を発生する波長変換器であって、(1) 励起光を出力する励起光源と、(2) 入力光と励起光とを合波して出力する光合波部と、(3) 互いに異なる零分散波長を有し、光合波部により合波されて出力された入力光および励起光を入力して導波し、その導波の間に生じる非線形光学現象によって変換光を発生する縦続接続された複数の光ファイバと、を備えることを特徴とする。さらに、本発明に係る波長変換器は、複数の光ファイバの全体において、波長変換効率の最大値に対してサイドバンドにおける波長変換効率が−２０ｄＢ未満であることを特徴とする。
【０００７】
この波長変換器では、変換対象である入力光は、励起光源から出力された励起光とともに、光合波部により合波されて、縦続接続された複数の光ファイバの一端に入力される。入力された入力光および励起光が複数の光ファイバを導波する間に、非線形光学現象が発現して、入力光の波長と異なる波長の変換光が複数の光ファイバにおいて発生する。その複数の光ファイバで発生した変換光は、光ファイバの他端から出力される。このとき、複数の光ファイバの零分散波長が互いに異なり、複数の光ファイバの全体において、波長変換効率の最大値に対してサイドバンドにおける波長変換効率が−２０ｄＢ未満であるので、主帯域における波長変換効率の最大値に対して、サイドバンドにおける波長変換効率の極大値は小さく抑圧される。これにより、波長変換を意図しない波長の入力光の波長変換を抑制することができる。
【０００８】
本発明に係る波長変換器は、複数の光ファイバのうちの何れかの光ファイバが高非線形性光ファイバであるのが好適である。この場合には、波長変換効率が高く、光ファイバを短尺化することができる。それ故、偏波モード分散、誘導ブリルアン散乱および分散特性長手変動が低減される。
【０００９】
本発明に係る波長変換器は、複数の光ファイバの全体において、波長変換効率の最大値に対して−１０ｄＢ以上の波長変換効率となる入力光と励起光との波長差が１５ｎｍ以上であるのが好適である。この場合には、Ｃバンドに含まれる全ての波長の入力光を主帯域の寄与により波長変換することができる。
【００１０】
本発明に係る波長変換器は、励起光の波長λｐが１５７０ｎｍ未満であり、複数の光ファイバの全体において、波長変換効率の最大値に対して−１０ｄＢ以上の波長変換効率となる入力光と励起光との波長差が（１５７０ｎｍ−λｐ）未満であるのが好適である。この場合には、Ｃバンドに含まれる全ての波長の入力光を主帯域の寄与により波長変換することができるとともに、Ｌバンドに含まれる波長の入力光の波長変換を抑圧することができる。
【００１１】
本発明に係る波長変換器は、複数の光ファイバそれぞれがコイル状に巻かれた状態であるのが好適である。この場合には、小型化可能であり、取扱が容易である。
【００１２】
本発明に係る波長変換器は、複数の光ファイバのうちの何れかの光ファイバの零分散波長を調整する零分散波長調整手段を更に備えるのが好適である。この場合には、複数の光ファイバが同種のものであっても、零分散波長調整手段により、複数の光ファイバの零分散波長を互いに異なるものとすることができる。
【００１３】
本発明に係る波長変換器では、零分散波長調整手段は、光ファイバの温度を調整することにより光ファイバの零分散波長を調整するのが好適であり、光ファイバの応力を調整することにより光ファイバの零分散波長を調整するのが好適であり、また、光ファイバの張力を調整することにより光ファイバの零分散波長を調整するのが好適である。また、零分散波長調整手段が光ファイバの温度を調整する場合には、その温度調整範囲は４０℃以上であるのが好適であり、この場合には、波長変換器における波長変換特性の調整量を充分なものとすることができる。
【００１４】
本発明に係る波長変換器は、(a) 光ファイバの状態を検出する検出部と、(b) 検出部による検出の結果に基づいて、零分散波長調整手段による光ファイバの零分散波長調整を制御する制御部と、を更に備えるのが好適である。この場合には、光ファイバの状態が検出部により検出部され、この検出部による検出の結果に基づいて、零分散波長調整手段による光ファイバの零分散波長調整が制御部により制御される。このようにすることにより、波長変換器における波長変換特性は、調整され得るだけでなく、所望特性に安定に維持される。
【発明の効果】
【００１５】
本発明に係る波長変換器は、波長変換を意図しない波長の入力光の波長変換を抑制することができる。
【発明を実施するための最良の形態】
【００１６】
以下、添付図面を参照して、本発明を実施するための最良の形態を詳細に説明する。なお、図面の説明において同一の要素には同一の符号を付し、重複する説明を省略する。
【００１７】
先ず、１本の光ファイバを用いて波長変換を行う場合の波長変換効率の波長依存性について説明する。図１は、波長変換効率の波長依存性の一例を示す図である。ここで、励起光の波長を１５４９.４ｎｍとし、また、光ファイバとして以下の諸元を有する高非線形性光ファイバを想定する。光ファイバは、励起光波長において、温度Ｔによる零分散波長λ０の微係数（ｄλ０／ｄＴ）の値が０.０２ｎｍ／℃であり、波長分散が０.０２４ｐｓ／ｎｍ／ｋｍであり、分散スロープが０.０３ｐｓ／ｎｍ２／ｋｍであり、伝送損失が０.５ｄＢ／ｋｍであり、長さが２ｋｍであり、非線形係数γが２０Ｗ−１ｋｍ−１である。また、光ファイバの分散スロープの波長依存性および零分散波長は、長手方向に一様であるとする。この光ファイバは、温度Ｔによる零分散波長λ０の微係数（ｄλ０／ｄＴ）の値が０.０２ｎｍ／℃であるから、４０℃の温度変化により、零分散波長が０.８ｎｍだけ変化する。
【００１８】
図１において、横軸のΔλは、入力光波長と励起光波長との差である。縦軸の波長変換効率ηは、入力光波長と励起光波長とが互いにほぼ一致する場合の波長変換効率で規格化されている。この図に示されるように、主帯域において、入力光と励起光との波長差Δλが８.４５ｎｍ以下である範囲で、波長変換効率の最大値に対して−３ｄＢ以上の波長変換効率となる。すなわち、主帯域幅は１６.９ｎｍである。また、主帯域の外側にサイドバンドが存在する。
【００１９】
図２は、波長変換の際の入力光，励起光および変換光それぞれの波長の配置を示す図である。図１に示されるような波長変換特性を有する光ファイバを用いて波長変換を行う場合、図２に示されるように、励起光波長に比較的近い波長の入力光は、主帯域の寄与により波長変換されて変換光とされる。また、励起光波長から比較的遠い波長の入力光も、１次サイドバンドの寄与により波長変換されて変換光とされる。このように、サイドバンドの存在により、波長変換を意図していない波長の入力光まで波長変換されしてしまう。以下に説明する本発明の実施形態の波長変換器は、波長変換を意図しない波長の入力光の波長変換を抑制することができるものである。
【００２０】
（第１実施形態）
【００２１】
先ず、本発明に係る波長変換器の第１実施形態について説明する。図３は、第１実施形態に係る波長変換器１の構成図である。この図に示される波長変換器１は、励起光源１１、光分岐部１２、光合波部２１，２２、光ファイバ３１，３２、光分岐部４１、波長選択部５１、零分散波長調整手段６１，６２、検出部７１および制御部７２を備え、入力される入力光の波長と異なる波長の変換光を発生する。
【００２２】
励起光源１１は、励起光を出力する。光分岐部１２は、励起光源１１から出力される励起光を２分岐して、その２分岐した励起光を光合波部２１，２２へ出力する。光合波部２１は、変換対象である入力光を入力するとともに、光分岐部１２から到達した励起光をも入力して、これら入力光と励起光とを合波して出力して、光ファイバ３１へ入力させる。また、光合波部２２は、光ファイバ３１から出力された光を入力するとともに、光分岐部１２から到達した励起光をも入力して、これらの光を合波して出力して、光ファイバ３２へ入力させる。
【００２３】
光ファイバ３１は、光合波部２１により合波されて出力された入力光および励起光を一端に入力して導波し、その導波の間に生じる非線形光学現象（四光波混合や光パラメトリック発振）によって変換光を発生して、その変換光を他端から光合波部２２へ出力する。また、光ファイバ３２は、光合波部２２により合波されて出力された光ファイバ３１からの出力光および励起光を一端に入力して導波し、その導波の間に生じる非線形光学現象によって変換光を発生して、その変換光を他端から光分岐部４１へ出力する。
【００２４】
光ファイバ３１，３２は、光合波部２２を挟んで縦続接続されていて、励起光波長の近傍に零分散波長を有するが、各々の零分散波長が互いに異なる。なお、光ファイバ３２の他端から出力される光には、変換光に加えて、入力光と同じ波長の光および励起光が含まれる。
【００２５】
光ファイバ３１，３２は、高非線形性光ファイバであるのが好適である。この場合には、波長変換効率が高く、光ファイバ３１，３２を短尺化することができる。それ故、偏波モード分散、誘導ブリルアン散乱および分散特性長手変動が低減される。また、光ファイバ３１，３２は、コイル状に巻かれた状態であるのが好適である。この場合には、小型化可能であり、取扱が容易である。
【００２６】
光分岐部４１は、光ファイバ３２から出力された光の殆どを波長選択部５１へ出力するとともに、一部を分岐して検出部７１へ出力する。波長選択部５１は、光分岐部４１から出力されて到達した光を入力し、その入力した光のうち変換光を選択的に出力する。波長選択部５１は、例えば光フィルタや光分波器等である。
【００２７】
零分散波長調整手段６１は、光ファイバ３１の零分散波長を調整するものである。零分散波長調整手段６２は、光ファイバ３２の零分散波長を調整するものである。零分散波長調整手段６１、６２は、光ファイバ３１，３２の温度を調整することにより光ファイバ３１，３２の零分散波長を調整してもよいし、光ファイバ３１，３２の応力を調整することにより光ファイバ３１，３２の零分散波長を調整してもよいし、また、光ファイバ３１，３２の張力を調整することにより光ファイバ３１，３２の零分散波長を調整してもよい。零分散波長調整手段６１，６２が光ファイバ３１，３２の温度を調整する場合には、その温度調整範囲は４０℃以上であるのが好適であり、この場合には、光ファイバ３１，３２の零分散波長の調整量を充分なものとすることができる。
【００２８】
光ファイバ３１，３２は、互いに同種のものであってもよく、零分散波長調整手段６１，６２により零分散波長が調整されることで、互いに異なる零分散波長を有することができる。また、光ファイバ３１，３２は、互いに異種のものであって、同一温度において互いに異なる零分散波長を有するものであってもよいし、長さが互いに異なっていてもよい。そして、２本の光ファイバ３１，３２の全体において、波長変換効率の最大値に対してサイドバンドにおける波長変換効率が−２０ｄＢ未満とされている。
【００２９】
検出部７１は、光分岐部４１により分岐されて到達した光を入力して受光し、その受光結果に基づいて光ファイバ３１，３２の状態を検出する。このとき、検出部７１は、受光した光のパワーもしくはスペクトル、または、受光した光のうちの変換光のパワーに基づいて、光ファイバ３１，３２の状態を検出する。制御部７２は、検出部７１による検出の結果に基づいて、零分散波長調整手段６１，６２による光ファイバ３１，３２の零分散波長調整を制御する。
【００３０】
この波長変換器１は以下のように動作する。変換対象である入力光は、励起光源１１から出力され光分岐部１２により分岐された一方の励起光とともに、光合波部２１により合波されて光ファイバ３１の一端に入力される。また、光ファイバ３１の他端から出力された光は、励起光源１１から出力され光分岐部１２により分岐された他方の励起光とともに、光合波部２２により合波されて光ファイバ３２の一端に入力される。入力光および励起光が光ファイバ３１，３２を導波する間に、非線形光学現象が発現して、入力光の波長と異なる波長の変換光が光ファイバ３１，３２において発生する。その光ファイバ３１，３２で発生した変換光は、光ファイバ３２の他端から出力され、光分岐部４１および波長選択部５１を経て出力される。
【００３１】
このとき、光ファイバ３１の零分散波長が零分散波長調整手段６１により調整され、また、光ファイバ３２の零分散波長が零分散波長調整手段６２により調整されるので、これにより波長変換器１における波長変換特性も調整され得る。また、光ファイバ３１，３２の状態が検出部７１により検出され、検出部７１による検出の結果に基づいて、零分散波長調整手段６１，６２による光ファイバ３１，３２の零分散波長調整が制御部７２により制御される。
【００３２】
ここで、励起光の波長を１５４９.４ｎｍとし、また、光ファイバ３１，３２として図１で説明した高非線形性光ファイバを想定する。光ファイバ３１の温度に対して光ファイバ３２の温度を１３℃だけ高く設定することにより、励起光波長において、光ファイバ３１の波長分散は０.０２４ｐｓ／ｎｍ／ｋｍであり、光ファイバ３２の波長分散は０.０１６２ｐｓ／ｎｍ／ｋｍである。図４は、第１実施形態に係る波長変換器１に含まれる光ファイバ３１，３２それぞれにおける波長変換効率特性を示す図である。また、図５は、第１実施形態に係る波長変換器１に含まれる光ファイバ３１，３２の全体における波長変換効率特性を示す図である。
【００３３】
図４に示されるように、光ファイバ３１，３２の個々では、主帯域における波長変換効率の最大値に対して、１次サイドバンドにおける波長変換効率の極大値は−１５ｄＢ程度である。しかし、光ファイバ３１，３２それぞれの零分散波長が互いに異なることから、光ファイバ３１，３２それぞれにおける波長変換効率の波長依存性は互いに異なっている。特に、この例では、光ファイバ３１の１次サイドバンドにおいて波長変換効率が極大となる波長が、光ファイバ３２の主帯域と１次サイドバンドとの間において波長変換効率が極小となる波長と略一致している。その結果、図５に示されるように、光ファイバ３１，３２の全体では、主帯域における波長変換効率の最大値に対して、サイドバンドにおける波長変換効率の極大値は−３１ｄＢ以下まで抑圧されている。これにより、波長変換を意図しない波長の入力光の波長変換を抑制することができる。もちろん、実際には個々の光ファイバの変換特性の単純な掛け合わせにはならない。これは、信号光、変換光、及び励起光の三つの光の位相が光ファイバ３２に入る際に異なってくるためであり、実用上は制御部でモニタしながら最適であるよう微調整する必要がある。
【００３４】
特に、２本の光ファイバ３１，３２の全体において、波長変換効率の最大値に対して−１０ｄＢ以上の波長変換効率となる入力光と励起光との波長差Δλが１５ｎｍ以上であるのが好ましい。すなわち、主帯域幅が３０ｎｍ以上であるのが好ましい。このようにすることにより、Ｃバンドに含まれる全ての波長の入力光を主帯域の寄与により波長変換することができる。
【００３５】
また、励起光の波長λｐが１５７０ｎｍ未満であり、２本の光ファイバ３１，３２の全体において、波長変換効率の最大値に対して−１０ｄＢ以上の波長変換効率となる入力光と励起光との波長差Δλが（１５７０ｎｍ−λｐ）未満であるのが好ましい。このようにすることにより、Ｃバンドに含まれる全ての波長の入力光を主帯域の寄与により波長変換することができるとともに、Ｌバンドに含まれる波長の入力光の波長変換を抑圧することができる。
【００３６】
次に、図６〜図９を用いて、第１実施形態に係る波長変換器１に含まれる零分散波長調整手段６１の具体的構成について説明する。これらの図に示された構成では、光ファイバ３１は、ボビン３３の胴部の周囲にコイル状に巻かれている。なお、零分散波長調整手段６１および光ファイバ３２についても同様である。
【００３７】
図６に示される零分散波長調整手段６１としての電圧印加部６１Ａは、ボビン３３に電圧を印加して電流を流し、これによりボビン３３を加熱するとともに、光ファイバ３１をも加熱して、光ファイバ３１の零分散波長を調整する。なお、零分散波長調整手段６１としてのヒータやペルチエ素子が、ボビン３３や光ファイバ３１に配置されていて、これにより光ファイバ３１の零分散波長を調整してもよい。
【００３８】
図７に示される零分散波長調整手段６１としての電圧印加部６１Ｂは、ボビン３３の胴部に電圧を印加して電流を流し、これによりボビン３３の胴部を熱膨張させるとともに、光ファイバ３１の応力を変化させて、光ファイバ３１の零分散波長を調整する。
【００３９】
図８に示される零分散波長調整手段６１としての伸縮部材６１Ｃは、ボビン３３の胴部の内側に挿入される円柱形状のものであり、ピエゾ素子等により径方向に伸縮自在である。この伸縮部材６１Ｃは、径方向の伸縮により、光ファイバ３１の応力を変化させて、光ファイバ３１の零分散波長を調整する。また、ボビンの胴部がピエゾ素子そのものであってもよい。
【００４０】
図９に示される零分散波長調整手段６１としての張力付与部６１Ｄは、光ファイバ３１の両端を把持して移動自在であり、光ファイバ３１に張力を付与することで、光ファイバ３１の零分散波長を調整する。なお、ボビン３３が回転することで、光ファイバ３１に張力を付与して、光ファイバ３１の零分散波長を調整してもよい。
【００４１】
（第２実施形態）
【００４２】
次に、本発明に係る波長変換器の第２実施形態について説明する。図１０は、第２実施形態に係る波長変換器２の構成図である。この図に示される波長変換器２は、励起光源１１、光合波部２１、光ファイバ３１，３２、光分岐部４１、波長選択部５１、零分散波長調整手段６１，６２、検出部７１および制御部７２を備え、入力される入力光の波長と異なる波長の変換光を発生する。
【００４３】
図３に示された第１実施形態に係る波長変換器１の構成と比較すると、この図１０に示される第２実施形態に係る波長変換器２は、光分岐部１２および光合波部２２が設けられておらず、励起光源１１から出力された励起光が光合波部２１を経て光ファイバ３１および光ファイバ３２を順に導波する点で相違する。
【００４４】
この波長変換器２は以下のように動作する。変換対象である入力光は、励起光源１１から出力された励起光とともに、光合波部２１により合波されて光ファイバ３１の一端に入力される。光ファイバ３１の一端に入力された入力光および励起光が光ファイバ３１，３２を導波する間に、非線形光学現象が発現して、入力光の波長と異なる波長の変換光が光ファイバ３１，３２において発生する。その光ファイバ３１，３２で発生した変換光は、光ファイバ３２の他端から出力され、光分岐部４１および波長選択部５１を経て出力される。
【００４５】
このとき、光ファイバ３１の零分散波長が零分散波長調整手段６１により調整され、また、光ファイバ３２の零分散波長が零分散波長調整手段６２により調整されるので、これにより波長変換器２における波長変換特性も調整され得る。また、光ファイバ３１，３２の状態が検出部７１により検出され、検出部７１による検出の結果に基づいて、零分散波長調整手段６１，６２による光ファイバ３１，３２の零分散波長調整が制御部７２により制御される。
【００４６】
第１実施形態と同様に第２実施形態においても、光ファイバ３１，３２それぞれの零分散波長が互いに異なることから、光ファイバ３１，３２それぞれにおける波長変換効率の波長依存性は互いに異なっている。特に、光ファイバ３１の１次サイドバンドにおいて波長変換効率が極大となる波長が、光ファイバ３２の主帯域と１次サイドバンドとの間において波長変換効率が極小となる波長と略一致しているのが好ましい。その結果、光ファイバ３１，３２の全体では、主帯域における波長変換効率の最大値に対して、サイドバンドにおける波長変換効率の極大値は小さく抑圧される。これにより、波長変換を意図しない波長の入力光の波長変換を抑制することができる。
【００４７】
第２実施形態においても、２本の光ファイバ３１，３２の全体において、波長変換効率の最大値に対して−１０ｄＢ以上の波長変換効率となる入力光と励起光との波長差Δλが１５ｎｍ以上であるのが好ましい。また、励起光の波長λｐが１５７０ｎｍ未満であり、２本の光ファイバ３１，３２の全体において、波長変換効率の最大値に対して−１０ｄＢ以上の波長変換効率となる入力光と励起光との波長差Δλが（１５７０ｎｍ−λｐ）未満であるのが好ましい。
【００４８】
（変形例）
【００４９】
本発明は、上記実施形態に限定されるものではなく、種々の変形が可能である。例えば、波長変換器において縦続接続される光ファイバは、上記の各実施形態のように２本であってもよいし、３本以上であってもよい。各実施形態の波長変換器において、光ファイバ３１と光ファイバ３２との前後関係は任意である。
【図面の簡単な説明】
【００５０】
【図１】波長変換効率の波長依存性の一例を示す図である。
【図２】波長変換の際の入力光，励起光および変換光それぞれの波長の配置を示す図である。
【図３】第１実施形態に係る波長変換器１の構成図である。
【図４】第１実施形態に係る波長変換器１に含まれる光ファイバ３１，３２それぞれにおける波長変換効率特性を示す図である。
【図５】第１実施形態に係る波長変換器１に含まれる光ファイバ３１，３２の全体における波長変換効率特性を示す図である。
【図６】第１実施形態に係る波長変換器１に含まれる零分散波長調整手段６１の具体的構成例を示す図である。
【図７】第１実施形態に係る波長変換器１に含まれる零分散波長調整手段６１の具体的構成例を示す図である。
【図８】第１実施形態に係る波長変換器１に含まれる零分散波長調整手段６１の具体的構成例を示す図である。
【図９】第１実施形態に係る波長変換器１に含まれる零分散波長調整手段６１の具体的構成例を示す図である。
【図１０】第２実施形態に係る波長変換器２の構成図である。
【符号の説明】
【００５１】
１〜２…波長変換器、１１…励起光源、１２…光分岐部、２１，２２…光合波部、３１，３２…光ファイバ、４１…光分岐部、５１…波長選択部、６１，６２…零分散波長調整手段、７１…検出部、７２…制御部。
【図１】
2008152133.tif 000003
【図２】
2008152133.tif 000004
【図３】
2008152133.tif 000005
【図４】
2008152133.tif 000006
【図５】
2008152133.tif 000007
【図６】
2008152133.tif 000008
【図７】
2008152133.tif 000009
【図８】
2008152133.tif 000010
【図９】
2008152133.tif 000011
【図１０】
2008152133.tif 000012